(57)【要約】【課題】プライベートＩＰネットワークからグローバルＩＰネットワークを介して相手方端末へ接続する場合に使い勝手のよいアドレス表示を行なう。【解決手段】テレビ電話端末装置１は、プライベートネットワークからグローバルネットワークを介して他のテレビ電話端末装置との間で通信を行うテレビ電話端末装置であって、自端末の固有のアドレスを設定する固有アドレス設定部４と、プライベートネットワークに対する自端末の接続時のアドレスを取得する接続時アドレス取得部２と、固有アドレス設定部４により設定された自端末の固有のアドレス、及び接続時アドレス取得部２により取得された自端末の接続時のアドレスを表示するアドレス表示部１１とを備える。【選択図】図１
2007282059.tif 000002
【特許請求の範囲】
【請求項１】
プライベートネットワークからグローバルネットワークを介して他のテレビ電話端末装置との間で通信を行うテレビ電話端末装置であって、
自端末の固有のアドレスを設定する固有アドレス設定部と、
上記プライベートネットワークに対する自端末の接続時のアドレスを取得する接続時アドレス取得部と、
上記固有アドレス設定部により設定された自端末の固有のアドレス、及び上記接続時アドレス取得部により取得された自端末の接続時のアドレスを表示するアドレス表示部と
を備えたことを特徴とするテレビ電話端末装置。
【請求項２】
上記固有アドレス設定部により設定される自端末の固有のアドレスは、自端末の電話回線番号、及び上記プライベートネットワーク上の自端末のアドレスを対応する一意の番号に変換するために上記グローバルネットワーク上に設けられるサーバ又はゲートキーパーのアドレスを含むことを特徴とする請求項１に記載のテレビ電話端末装置。
【請求項３】
上記自端末の電話回線番号を記憶する電話回線番号記憶部、上記サーバのアドレスを記憶するサーバアドレス記憶部及び上記ゲートキーパーのアドレスを記憶するゲートキーパーアドレス記憶部を備えることを特徴とする請求項２に記載のテレビ電話端末装置。
【請求項４】
上記電話回線番号記憶部に記憶された電話回線番号、上記サーバアドレス記憶部に記憶されたサーバアドレス及び上記ゲートキーパーアドレス記憶部に記憶されたゲートキーパーアドレスをサーバ又はゲートキーパー上の記憶部に登録するサーバ登録部を備えることを特徴とする請求項３に記載のテレビ電話端末装置。
【請求項５】
上記接続時アドレス取得部により取得される自端末の接続時のアドレスは、上記プライベートネットワーク上の自端末のアドレス、及び上記グローバルネットワークと自端末の間に設けられるルーターの上記グローバルネットワーク上のアドレスを含むことを特徴とする請求項１に記載のテレビ電話端末装置。
【請求項６】
上記プライベートネットワーク上の自端末のアドレスを記憶するプライベートネットワーク上自端末アドレス記憶部、及び上記ルーターの上記グローバルネットワーク上のアドレスを記憶するグローバルネットワーク上ルーターアドレス記憶部を備えることを特徴とする請求項５に記載のテレビ電話端末装置。
【請求項７】
上記接続時アドレス取得部は、自端末の起動時に、上記プライベートネットワーク上の自端末のアドレスを上記プライベートネットワーク上に設けられるサーバから取得し、上記グローバルネットワーク上の上記ルーターから上記ルーターのアドレスを取得することを特徴とする請求項５に記載のテレビ電話端末装置。
【請求項８】
プライベートネットワークからグローバルネットワークを介して他のテレビ電話端末装置との間で通信を行うテレビ電話端末装置におけるアドレス表示方法であって、
自端末の固有のアドレスを設定するステップと、
上記プライベートネットワークに対する自端末の接続時のアドレスを取得するステップと、
上記固有アドレスを設定するステップにより設定された自端末の固有のアドレス、及び上記接続時アドレスを取得するステップにより取得された自端末の接続時のアドレスを表示するステップと
を含むことを特徴とするアドレス表示方法。
【請求項９】
上記固有アドレスを設定するステップにより設定される自端末の固有のアドレスは、自端末の電話回線番号、及び上記プライベートネットワーク上の自端末のアドレスを対応する一意の番号に変換するために上記グローバルネットワーク上に設けられるサーバ又はゲートキーパーのアドレスを含むことを特徴とする請求項８に記載のアドレス表示方法。
【請求項１０】
上記自端末の電話回線番号を記憶するステップと、上記サーバのアドレスを記憶するステップ及び上記ゲートキーパーのアドレスを記憶するステップと
を含むことを特徴とする請求項９に記載のアドレス表示方法。
【請求項１１】
上記電話回線番号を記憶するステップで記憶された電話回線番号、上記サーバアドレスを記憶するステップで記憶されたサーバアドレス及び上記ゲートキーパーアドレスを記憶するステップで記憶されたゲートキーパーアドレスをサーバ又はゲートキーパー上の記憶部に登録するステップ
を含むことを特徴とする請求項９に記載のアドレス表示方法。
【請求項１２】
上記接続時アドレスを取得するステップにより取得される自端末の接続時のアドレスは、上記プライベートネットワーク上の自端末のアドレス、及び上記グローバルネットワークと自端末の間に設けられるルーターの上記グローバルネットワーク上のアドレスを含むことを特徴とする請求項８に記載のアドレス表示方法。
【請求項１３】
上記プライベートネットワーク上の自端末のアドレスを記憶するステップ、及び上記ルーターの上記グローバルネットワーク上のアドレスを記憶するステップを含むことを特徴とする請求項１２に記載のアドレス表示方法。
【請求項１４】
上記接続時アドレスを取得するステップは、自端末の起動時に、上記プライベートネットワーク上の自端末のアドレスを上記プライベートネットワーク上に設けられるサーバから取得し、上記グローバルネットワーク上の上記ルーターから上記ルーターのアドレスを取得することを特徴とする請求項１２に記載のアドレス表示方法。
【発明の詳細な説明】
【技術分野】
【０００１】
本発明は、例えば、ネットワークを介して他のテレビ電話端末装置との間で通信を行うテレビ電話端末装置及びアドレス表示方法に関する。
【背景技術】
【０００２】
従来、例えば、一般的なテレビ会議システムとして、それぞれ異なる地点に設置される１又は複数の端末装置と、所定のネットワークを介して端末装置と接続される情報処理装置とからなるテレビ会議システムにおいて、ネットワークを介して端末装置にデータを送信するものが開示されていた（特許文献１参照）。
【０００３】
このテレビ会議システムでは、端末装置からネットワークを介して送信されるユーザの映像及び必要なドキュメントの画像を合成した合成映像を生成し、ドキュメント操作や音声データに基づき検出されるユーザの発言の有無に基づいて、合成映像におけるドキュメントの画像や対応するユーザの映像を拡大又は縮小させるようにし、生成された合成映像の合成映像データを送信していた。
【０００４】
上述した従来のビデオ会議システムにおける相手方端末へのダイヤル方法としては、高速通信回線であるＩＳＤＮ（Integrated Services Digital Network）を介して相手方端末へ接続する場合には相手方端末のＩＳＤＮ番号をダイヤルするようにしていた。
【０００５】
また、上述した従来のビデオ会議システムにおける他の相手方端末へのダイヤル方法としては、プライベートなＩＰ（Internet Protocol）ネットワークを介して相手方端末へ接続する場合には相手方端末のプライベートＩＰアドレスをダイヤルするようにしていた。
【特許文献１】特開２００５−３２８４８４号公報
【発明の開示】
【発明が解決しようとする課題】
【０００６】
上述した従来のＩＳＤＮを介して相手方端末へ接続する場合には、確実に相手方端末へつながるが、通信速度が遅く、従量課金となる不利な点があった。また、上述した従来のプライベートなＩＰネットワークを介して相手方端末へ接続する場合には、通信速度が速いが、一般に広く普及しているＤＨＣＰ（Dynamic Host Configuration Protocol）によりＩＰアドレスの取得を行う場合が多いため、ネットワーク構築の手間が余計にかかり、コストがアップする上に、ネットワークへの接続のたびにプライベートＩＰネットワークアドレスが変わることがあるという不利な点があった。
【０００７】
なお、ＤＨＣＰとは、インターネットに一時的に接続するコンピュータに、ＩＰアドレスなど必要な情報を自動的に割り当てるプロトコルをいい、ＤＨＣＰサーバには、ゲートウェイサーバやＤＮＳサーバのＩＰアドレスや、サブネットマスク、クライアントに割り当ててもよいＩＰアドレスの範囲などが設定されており、ダイヤルアップなどの手段を使ってアクセスしてきたコンピュータにこれらの情報を提供する。クライアントが通信を終えると自動的にアドレスを回収し、他のコンピュータに割り当てる。ＤＨＣＰを使うとネットワークの設定に詳しくないユーザでも簡単にインターネットに接続することができ、また、ネットワーク管理者は多くのクライアントを容易に一元管理することができるものである。
【０００８】
さらに、上述したライベートＩＰネットワークからパブリックなインターネットを示すグローバルＩＰネットワークを介して相手方端末へ接続することを考えた場合には、相手方端末のグローバルＩＰネットワークアドレスにダイヤルするようにすれば、ネットワーク構築のためのコストが安くなると共に、通信速度が速くなることが考えられる。
【０００９】
しかし、一般に広く普及しているＮＡＴ（Network Address Translation）により、プライベートＩＰアドレスは書き換えられているため、相手方端末のグローバルＩＰネットワークアドレスを知るのに手間がかかる。
【００１０】
ここで、ＮＡＴとは、ＴＣＰ／ＩＰ（Transmission Control Protocol/Internet Protocol）を使ったインターネットなどのネットワークにおいて、ＩＰアドレスを変換して、限られたＩＰアドレス資源を有効に使ったり、ファイアウォールを構築したりするための技術であり、インターネットへ接続するためのルーター（ブロードバンドルーターなど）に実装されていることが多い。
【００１１】
インターネットを利用するためには、インターネットに接続するノードに対して、世界中でユニークになるように公式に割り当てられた、グローバルＩＰアドレスを付けておく必要がある。しかし、インターネットの急速な普及により、グローバルなＩＰアドレスはそう遠くない将来に枯渇する恐れがあり、組織内では広範囲にプライベートＩＰアドレスを使い、実際にインターネットに接続する必要のあるノードにだけグローバルＩＰアドレスをその都度割り当てる、という方法である。本技術により、インターネットに接続された企業などでは、不足がちなグローバルアドレスを節約できるとともに、インターネットから内部のプライベートＩＰアドレスを隠すこともできるというセキュリティ上の効果もあるため広く普及している。
【００１２】
したがって、相手先とテレビ電話を行う際には、プライベートＩＰネットワークとグローバルＩＰネットワークとの間に設けられるルーターのグローバルＩＰネットワークであるＷＡＮ（Wide Area Network）側ＩＰアドレスを何らかの方法により知る必要がある。
【００１３】
このとき、自端末のＧＵＩ（Graphical User Interface）上には、ルーターのグローバルＩＰネットワークアドレスが表示されず、表示されていたのは自端末のプライベートＩＰアドレスのみだったため、ルーターのグローバルＩＰネットワークアドレスを相手方に電話回線などにより連絡することができず、使い勝手が悪いものであった。
【００１４】
そこで、本発明は、プライベートＩＰネットワークからグローバルＩＰネットワークを介して相手方端末へ接続する場合に使い勝手のよいアドレス表示を行なうことができるテレビ電話端末装置及びアドレス表示方法を提供することを目的とするものである。
【課題を解決するための手段】
【００１５】
上記課題を解決し、本発明の目的を達成するため、本発明のテレビ電話端末装置は、プライベートネットワークからグローバルネットワークを介して他のテレビ電話端末装置との間で通信を行うテレビ電話端末装置であって、自端末の固有のアドレスを設定する固有アドレス設定部と、上記プライベートネットワークに対する自端末の接続時のアドレスを取得する接続時アドレス取得部と、上記固有アドレス設定部により設定された自端末の固有のアドレス、及び上記接続時アドレス取得部により取得された自端末の接続時のアドレスを表示するアドレス表示部とを備えたものである。
【００１６】
また、本発明のアドレス表示方法は、プライベートネットワークからグローバルネットワークを介して他のテレビ電話端末装置との間で通信を行うテレビ電話端末装置におけるアドレス表示方法であって、自端末の固有のアドレスを設定するステップと、上記プライベートネットワークに対する自端末の接続時のアドレスを取得するステップと、上記固有アドレスを設定するステップにより設定された自端末の固有のアドレス、及び上記接続時アドレスを取得するステップにより取得された自端末の接続時のアドレスを表示するステップとを含むものである。
【００１７】
これにより、固有アドレス設定部は自端末の固有のアドレスを設定し、接続時アドレス取得部はプライベートネットワークに対する自端末の接続時のアドレスを取得する。そして、アドレス表示部は固有アドレス設定部により設定された自端末の固有のアドレス、及び接続時アドレス取得部により取得された自端末の接続時のアドレスを表示する。
【発明の効果】
【００１８】
従来のビデオ会議システムの画面上のＧＵＩでは、一つのアドレス情報表示が通常であったが、本発明によれば、多様な通信インフラやシステム構成に合わせたアドレス情報の入手が可能になった。特に、画面上で簡単な操作で接続に必要な自端末アドレス情報として、固有アドレス及び接続時アドレスの表示を全てできるようにしたので、使い勝手がよくなり、操作性が向上するようになった。
【発明を実施するための最良の形態】
【００１９】
以下に、本発明の実施の形態について、適宜、図面を参照しながら、詳細に説明する。
図１は、テレビ電話端末装置の構成を示すブロック図である。
図１において、テレビ電話端末装置１は、プライベートネットワークからグローバルネットワークを介して他のテレビ電話端末装置との間で通信を行う機能を有するものである。
【００２０】
テレビ電話端末装置１は、自端末の固有のアドレスを設定する固有アドレス設定部４と、プライベートネットワークに対する自端末の接続時のアドレスを取得する接続時アドレス取得部２とを備えている。
【００２１】
また、テレビ電話端末装置１は、固有アドレス設定部４により設定された自端末の固有のアドレス、及び接続時アドレス取得部２により取得された自端末の接続時のアドレスを表示のために選択する表示アドレス選択部１０と、固有アドレス設定部４により設定された自端末の固有のアドレス、及び接続時アドレス取得部２により取得された自端末の接続時のアドレスを表示するアドレス表示部１１とを備えている。
【００２２】
ここで、固有アドレス設定部４により設定される自端末の固有のアドレスは、自端末のＩＳＤＮ回線番号であるＩＳＤＮ番号、及びゲートキーパーに登録したユーザ名、ユーザ番号、ＳＩＰ（Session Initiation Protocol）サーバに登録したユーザ名、ＳＩＰ＿ＵＲＩ（Uniform Resource Identifier）を含むものである。
【００２３】
さらに、テレビ電話端末装置１は、自端末のＩＳＤＮ回線番号であるＩＳＤＮ番号を記憶するＩＳＤＮ番号記憶部８、サーバのアドレスを含む関連情報を記憶するサーバ関連情報記憶部７及びゲートキーパーのアドレスを含む関連情報を記憶するゲートキーパー関連情報記憶部９を備えている。
【００２４】
また、テレビ電話端末装置１は、電話回線番号であるＩＳＤＮ番号記憶部８に記憶された電話回線番号であるＩＳＤＮ番号、サーバアドレス記憶部７に記憶されたサーバアドレス及びゲートキーパーアドレス記憶部９に記憶されたゲートキーパーアドレスをサーバ又はゲートキーパー上の記憶部に登録するサーバ登録部３を備えている。
【００２５】
また、接続時アドレス取得部２により取得される自端末の接続時のアドレスは、プライベートネットワーク上の自端末のＩＰアドレス、及びグローバルネットワークと自端末の間に設けられるルーターのグローバルネットワーク上のＩＰアドレスを含むものである。
【００２６】
ここで、テレビ電話端末装置１は、プライベートネットワーク上の自端末のアドレスを記憶するプライベートネットワーク上の自端末のＩＰアドレス記憶部５、及びルーターのグローバルネットワーク上のＩＰアドレスを記憶するグローバルネットワーク上のルーターＩＰアドレス記憶部６を備えている。
【００２７】
さらに、接続時アドレス取得部２は、自端末の起動時に、プライベートネットワーク上の自端末のＩＰアドレスをプライベートネットワーク上に設けられるＤＨＣＰサーバから取得し、グローバルネットワーク上のルーターからルーターのＷＡＮ側ＩＰアドレスを取得する機能を有している。
【００２８】
図２は、固有アドレス設定の動作を示すフローチャートである。図２は、固有アドレス設定部４の動作を示すものである。
図２において、固有アドレス設定部４は、固有アドレス設定を行うか否かを判断する（ステッ プＳ１）。固有アドレス設定部４は、固有アドレス設定がＩＳＤＮ番号についてのものであるか否かを判断する（ステップＳ３）。
【００２９】
判断ステップＳ３で固有アドレス設定がＩＳＤＮ番号についてのものであるときは、固有アドレス設定部４は、ＩＳＤＮ番号をＩＳＤＮ番号記憶部８に記憶する（ステップＳ４）。
【００３０】
次回の判断ステップＳ３では固有アドレス設定がＩＳＤＮ番号についてのものでないので、固有アドレス設定部４は、固有アドレス設定がサーバアドレスについてのものであるか否かを判断する（ステップＳ５）。
【００３１】
判断ステップＳ５で固有アドレス設定がＳＩＰサーバアドレスについてのものであるときは、固有アドレス設定部４は、ＳＩＰサーバアドレス及びユーザ名、ＳＩＰ＿ＵＲＩをＳＩＰ関連情報記憶部７に記憶すると共に、グローバルネットワーク上または、プライベートネットワーク上のＳＩＰサーバの記憶部にレジストを行う（ステップＳ６）。
【００３２】
ステップＳ６でサーバアドレスの記憶及びサーバに登録を行った後の次回の判断ステップＳ５では固有アドレス設定がサーバアドレスについてのものでないので、固有アドレス設定部４は、固有アドレス設定がゲートキーパーアドレスについてのものであるか否かを判断する（ステップＳ７）。
【００３３】
判断ステップＳ７で固有アドレス設定がゲートキーパーアドレスについてのものであるときは、固有アドレス設定部４は、ゲートキーパーアドレス及びユーザ名、ユーザ番号をゲートキーパーアドレス記憶部９に記憶すると共に、グローバルネットワーク上または、プライベートネットワーク上のゲートキーパーの記憶部に登録を行う（ステップＳ８）。
【００３４】
図３は、接続時アドレス取得の動作を示すフローチャートである。図３は、接続時アドレス取得部２の動作を示すものである。
図３において、接続時アドレス取得部２は、プライベートネットワーク上のＤＨＣＰサーバからプライベートネットワーク上の自端末のＩＰアドレスを取得して、取得した自端末のＩＰアドレスをＩＰアドレス記憶部５に記憶する（ステップＳ１１）。
【００３５】
次に、接続時アドレス取得部２は、グローバルネットワーク上のルーターからルーターのグローバルネットワーク上のＩＰアドレスを取得して、取得したルーターのグローバルネットワーク上のＩＰアドレスをルーターＩＰアドレス記憶部６に記憶する（ステップＳ１２）。
【００３６】
図４は、固有アドレス表示の動作を示すフローチャートである。図４は、表示アドレス選択部１０及びアドレス表示部１１の動作を示すものである。
図４において、表示アドレス選択部１０は、アドレス表示部１１により表示されるアドレスが固有アドレスについてのものであるか否かを判断する（ステップＳ２１）。
【００３７】
判断ステップＳ２１で、固有アドレス表示を行わないときは後述する接続時アドレス選択表示の処理に移行する（ステップＳ２２）。判断ステップＳ２１で固有アドレス表示を行うときは、表示アドレス選択部１０は、固有アドレス表示がＩＳＤＮ番号についてのものであるか否かを判断する（ステップＳ２３）。
【００３８】
判断ステップＳ２３で固有アドレス表示がＩＳＤＮ番号についてのものであるときは、アドレス表示部１１は、ＩＳＤＮ番号をＩＳＤＮ番号記憶部８から読み出して表示部に表示を行う（ステップＳ２４）。
【００３９】
ステップＳ２４でＩＳＤＮ番号の表示を行った後の次回の判断ステップＳ２３では固有アドレス表示がＩＳＤＮ番号についてのものでないので、表示アドレス選択部１０は、固有アドレス表示がＳＩＰサーバアドレスについてのものであるか否かを判断する（ステップＳ２５）。
【００４０】
判断ステップＳ２５で固有アドレス表示がＳＩＰ（Session Initiation Protocol）サーバアドレスについてのものであるときは、アドレス表示部１１は、ＳＩＰ関連情報記憶部７に登録した、ユーザ名やＳＩＰ＿ＵＲＩを４ 読み出して表示部に表示を行う（ステップＳ２６）。
【００４１】
ステップＳ２６でＳＩＰ関連情報記憶部７に登録した、ユーザ名やＳＩＰ＿ＵＲＩの表示を行った後の次回の判断ステップＳ２５では固有アドレス表示がＳＩＰサーバアドレスについてのものでないので、表示アドレス選択部１０は、固有アドレス表示がゲートキーパーアドレスについてのものであるか否かを判断する（ステップＳ２７）。
【００４２】
判断ステップＳ２７で固有アドレス表示がゲートキーパーアドレスについてのものであるときは、アドレス表示部１１は、ゲートキーパーに登録したユーザ名、ユーザ番号をゲートキーパー関連情報記憶部９から読み出して表示部に表示する（ステップＳ２８）。
【００４３】
図５は、接続時アドレス表示の動作を示すフローチャートである。図５は、表示アドレス選択部１０及びアドレス表示部１１の動作を示すものである。
図５において、表示アドレス選択部１０は、接続時アドレス表示を行うか否かを判断する（ステップＳ３１）。判断ステップＳ３１で接続時アドレス表示を行わないときは前述した固有アドレス表示の処理に移行する（ステップＳ３２）。
【００４４】
判断ステップＳ３１で接続時アドレス表示を行うときは、表示アドレス選択部１０は、接続時アドレス表示が自端末のプライベートネットワーク上のＩＰアドレスについてのものであるか否かを判断する（ステップＳ３３）。
【００４５】
判断ステップＳ３３で、接続時アドレス表示が自端末のプライベートネットワーク上のＩＰアドレスについてのものであるときは、アドレス表示部１１は、ＩＰアドレス記憶部５から読み出したプライベートネットワーク上の自端末のＩＰアドレスを表示部に表示する（ステップＳ３４）。
【００４６】
ステップＳ３４で自端末のＩＰアドレスの表示を行った後の次回の判断ステップＳ３３では接続時アドレス表示が自端末のプライベートネットワーク上のＩＰアドレスについてのものでないので、表示アドレス選択部１０は、接続時アドレス表示がルーターのグローバルネットワーク上のＩＰアドレスについてのものであるか否かを判断する（ステップＳ３５）。
【００４７】
判断ステップＳ３５で、接続時アドレス表示がルーターのグローバルネットワーク上のＩＰアドレスについてのものであるときは、アドレス表示部１１は、ルーターＩＰアドレス記憶部６から読み出したルーターのグローバルネットワーク上のＩＰアドレスを表示部に表示する（ステップＳ３６）。
【００４８】
図６は、起動時のグローバルなルーターＩＰアドレス取得の動作を示すフローチャートである。図６は、接続時アドレス取得部２、表示アドレス選択部１０及びアドレス表示部１１の動作を示すものである。
図６において、起動時に接続時アドレス取得部２はルーターに割り振られたグローバルＩＰアドレスの取得をするか否かを判断する（ステップＳ４１）。
【００４９】
判断ステップＳ４１で、ルーターに割り振られたグローバルＩＰアドレスの取得が必要なとき、接続時アドレス取得部２は、ルーターにグローバルネットワーク上のグローバルルーターＩＰアドレスを問い合わせる（ステップＳ４２）。
接続時アドレス取得部２は、グローバＩＰアドレスの取得が成功したか否かを判断する（ステップＳ４３）。
【００５０】
判断ステップＳ４３で、グローバルＩＰアドレスの取得が成功したとき、接続時アドレス取得部２は、取得したグローバルＩＰアドレスをルーターＩＰアドレス記憶部６に記憶する。
【００５１】
そして、表示アドレス選択部１０は接続時表示アドレスがグローバルＩＰアドレスであると判断し、アドレス表示部１１はグローバルＩＰアドレスをルーターＩＰアドレス記憶部６から読み出して表示部に表示する（ステップＳ４５）。
【００５２】
このとき、判断ステップＳ４３で、グローバルＩＰアドレスを取得していなかったときには、接続時アドレス取得部２は、グローバルＩＰアドレスとして特定の値例えば「０」をルーターＩＰアドレス記憶部６に記憶する。
【００５３】
そして、表示アドレス選択部１０は接続時表示アドレスがグローバルＩＰアドレスであると判断したとき、アドレス表示部１１はグローバルＩＰアドレスとして特定の値例えば「０」をルーターＩＰアドレス記憶部６から読み出して表示部に表示する（ステップＳ４４）。
【００５４】
ステップＳ４５で取得したグローバルＩＰアドレスを表示部に表示した後に、接続時アドレス取得部２は、グローバルネットワーク上のサーバ（例えばＳＩＰサーバ）を利用するか否かを判断する（ステップＳ４６）。
【００５５】
判断ステップＳ４６で、グローバルネットワーク上のＳＩＰサーバを利用するとき、接続時アドレス取得部２は、グローバルネットワーク上のＳＩＰサーバにステップＳ４５で取得したグローバルＩＰアドレスを送信する（ステップＳ４７）。これにより、ＳＩＰサーバを介してグローバルＩＰアドレスにアクセスすることにより通信相手の端末と自端末との間で通信が行われるようになる。
【００５６】
図７は、テレビ電話システムの使用状態を示す図である。
図７は、一方のプライベートネットワーク７２上のテレビ電話端末装置７１とグローバルネットワークであるパブリックインターネット７６を介して他方のプライベートネットワーク７８上のテレビ電話端末装置７７との間で通信を行う例を示すものである。
【００５７】
一方のプライベートネットワーク７２とパブリックインターネット７６との間には一方のルーター７４が設けられていて、他方のプライベートネットワーク７８とパブリックインターネット７６との間には他方のルーター８０が設けられている。
【００５８】
このとき、上述した一方の接続時アドレス取得部２は、接続時アドレス取得が自端末のプライベートネットワーク上のＩＰアドレスについてのものであるときは、一方のプライベートネットワーク７２上のＤＨＣＰサーバからプライベートネットワーク７２上の自端末のＩＰアドレス７３を取得して、取得した自端末のＩＰアドレス７３を上述した一方のＩＰアドレス記憶部５に記憶する。
【００５９】
さらに、一方の接続時アドレス取得部２は、接続時アドレス取得が一方のルーター７４のグローバルネットワークであるパブリックインターネット７６上のグローバルＩＰアドレス７５についてのものであるときは、グローバルネットワークであるパブリックインターネット７６上の一方のルーター７４から一方のルーター７４のグローバルネットワークであるパブリックインターネット７６上のグローバルＩＰアドレス７５を取得する。
【００６０】
そして、一方の接続時アドレス取得部２は、取得した一方のルーター７４のグローバルネットワークであるパブリックインターネット７６上のグローバルＩＰアドレス７５を上述した一方のルーターＩＰアドレス記憶部６に記憶する。
【００６１】
同様に、上述した他方の接続時アドレス取得部２は、接続時アドレス取得が自端末のプライベートネットワーク上のＩＰアドレスについてのものであるときは、他方のプライベートネットワーク７８上のＤＨＣＰサーバからプライベートネットワーク７８上の自端末のＩＰアドレス７９を取得して、取得した自端末のＩＰアドレス７９を上述した他方のＩＰアドレス記憶部５に記憶する。
【００６２】
さらに、他方の接続時アドレス取得部２は、接続時アドレス取得が他方のルーター８０のグローバルネットワークであるパブリックインターネット７６上のグローバルＩＰアドレス８１についてのものであるときは、グローバルネットワークであるパブリックインターネット７６上の他方のルーター８０から他方のルーター８０のグローバルネットワークであるパブリックインターネット７６上のグローバルＩＰアドレス８１を取得する。
【００６３】
そして、他方の接続時アドレス取得部２は、取得した他方のルーター８０のグローバルネットワークであるパブリックインターネット７６上のグローバルＩＰアドレス８１を上述した他方のルーターＩＰアドレス記憶部６に記憶する。
【００６４】
これにより、一方又は他方の接続時アドレス取得部２は、特別にグローバルＩＰアドレス７５、８１を調べることなく、自動的にこれらを取得することができるので、接続毎に変化して割り振られるグローバルＩＰアドレス７５、８１をデフォルトで表示することができるように端末内に記憶しておくことができる。
【００６５】
図８は、他のテレビ電話システムの使用状態を示す図である。図８は、図７において、一方の接続時アドレス取得部２が取得して端末内に記憶しておいた自端末のＩＰアドレス７３、グローバルＩＰアドレス７５を表示する例を示すものである。
【００６６】
図８において、一方のプライベートネットワーク７２上のテレビ電話端末装置７１上の表示画面８２にアドレス表示部８３が表示される。アドレス表示部８３は表示項目として、「ＩＰ」には図７に示した自端末のＩＰアドレス７３に対応するＩＰアドレス８４が表示され、「ＮＡＴ」（Network Address Translation）には図７に示したグローバルＩＰアドレス７５に対応するグローバルルーターＩＰアドレス８５が表示される。
【００６７】
このとき、アドレス表示部８３は他の表示項目として、上の「ＳＩＰ」にＳＩＰサーバに登録したユーザ名が表示され、下の「ＳＩＰ」にはＳＩＰサーバに登録したＳＩＰ＿ＵＲＩが表示される。
【００６８】
また、アドレス表示部８３は他の表示項目として、上の「ＧＫ」（GATE KEEPER）には名称としてのゲートキーパーに登録したユーザ名が表示され、下の「ＧＫ」には一意の番号としてのゲートキーパーに登録したユーザ番号が表示され、「IPELA VC link」にはパブリックインターネット上のＳＩＰサーバに登録した一意の番号としての自端末のアドレスが表示される。
【００６９】
図９は、他のテレビ電話システムの使用状態を示す図である。図９は、図７に示したグローバルネットワークであるパブリックインターネット７６を介して相手端末と通信する場合と、同じプライベートネットワーク７８内で相手端末と通信する場合の例を示しめすものである。
【００７０】
図９において、一方のプライベートネットワーク７２上のテレビ電話端末装置７１上のアドレス表示部８３は自端末のプライベートＩＰアドレス７３及びルーターのインターネット側グローバルＩＰアドレス７５を表示す。
【００７１】
また、他方のプライベートネットワーク７８上のテレビ電話端末装置７７上のアドレス表示部８３は自端末のプライベートＩＰアドレス７９、及びグローバルＩＰアドレス８１を表示する。このとき、同一のプライベートネットワーク７８上設けられているテレビ電話端末装置９２のアドレス表示部８３にも自端末のプライベートＩＰアドレス９３、及びグローバルＩＰアドレス８１を表示する。
【００７２】
このとき、Ｔ１時点で示すように、グローバルネットワークであるパブリックインターネット７６を介して相手端末と通信する場合には、一方のプライベートネットワーク７２上のテレビ電話端末装置７１上のアドレス表示部８３に表示されているグローバルルーターＩＰアドレス７５を通信相手に電話回線などを介して通知する。
【００７３】
また、他方のプライベートネットワーク７８上のテレビ電話端末装置７７上のアドレス表示部８３に表示されているはグローバルＩＰアドレス８１を通信相手に電話回線などを介して通知する。
【００７４】
これにより、グローバルネットワークであるパブリックインターネット７６への接続毎に変化して割り振られるグローバルＩＰアドレス７５、８１を通信を行う相手端末の属するネットワークに応じて選択して通信相手に通知することにより、相手端末のグローバルＩＰアドレス７５、８１を互いに知ることができるので、相手端末のグローバルＩＰアドレス７５、８１をダイヤルして互いに通信を行なうことができる。
【００７５】
また、Ｔ２時点で示すように、同じプライベートネットワーク７８内で相手端末と通信する場合には、同一のプライベートネットワーク７８上のテレビ電話端末装置７７上のアドレス表示部８３に表示されている自端末のＩＰアドレス７９を通信相手に電話回線などを介して通知する。また、同一のプライベートネットワーク７８上に設けられているテレビ電話端末装置９２のアドレス表示部８３に表示されている自端末のＩＰアドレス９３を通信相手に電話回線などを介して通知する。
【００７６】
これにより、他方のプライベートネットワーク７８への接続毎に変化して割り振られる自端末のＩＰアドレス７９、９３を通信を行う相手端末の属するネットワークに応じて選択して通信相手に通知することにより、相手端末の自端末のＩＰアドレス７９、９３を互いに知ることができるので、相手端末のＩＰアドレス７９、９３をダイヤルして互いに通信を行なうことができる。
【００７７】
このようにＴ１時点とその後のＴ２時点でパブリックなインターネット越しや同一のプライベートネットワーク内に属する端末に対して相手端末の属するネットワークに応じて表示されるアドレスを選択して通信相手に通知することにより良好に通信を行なうことができる。
【００７８】
図１０は、他のテレビ電話システムの使用状態を示す図である。図１０は、図９に示した場合であって、１０２に示すＳＩＰサーバ又はゲートキーパーを利用する場合の例を示すものである。
【００７９】
図１０において、一方のプライベートネットワーク７２上のテレビ電話端末装置７１上のアドレス表示部８３に自端末のＩＰアドレス７９、グローバルＩＰアドレス７５が表示され、さらにこのほかに、グローバルネットワークであるパブリックインターネット７６上に設けられている１０２に示すＳＩＰサーバ又はゲートキーパーに登録されている自端末に対するアドレスを示す一意の番号１０１が表示される。
【００８０】
また、他方のプライベートネットワーク７８上のテレビ電話端末装置７７上のアドレス表示部８３に自端末のＩＰアドレス７９、グローバルＩＰアドレス８１が表示され、さらにこのほかに、グローバルネットワークであるパブリックインターネット７６上に設けられている１０２に示すＳＩＰサーバ又はゲートキーパーの自端末に対するアドレスを示す一意の番号１０３が表示される。
【００８１】
他方のプライベートネットワーク７８上のテレビ電話端末装置９２上のアドレス表示部８３に自端末のＩＰアドレス９３、グローバルＩＰアドレス８１が表示され、さらにこのほかに、グローバルネットワークであるパブリックインターネット７６上に設けられている１０２に示すＳＩＰサーバ又はゲートキーパーに登録されている自端末に対するアドレスを示す一意の番号１０４が表示される。
【００８２】
このとき、Ｔ１１時点で示すように、グローバルネットワークであるパブリックインターネット７６を介して相手端末と通信する場合には、一方のプライベートネットワーク７２上のテレビ電話端末装置７１上のアドレス表示部８３に表示されているグローバルネットワークであるパブリックインターネット７６上に設けられている１０２に示すＳＩＰサーバ又はゲートキーパーに登録されている自端末に対するアドレスを示す一意の番号１０１を通信相手に電話回線などを介して通知する。
【００８３】
また、他方のプライベートネットワーク７８上のテレビ電話端末装置７７上のアドレス表示部８３に表示されているグローバルネットワークであるパブリックインターネット７６上に設けられている１０２に示すＳＩＰサーバ又はゲートキーパーに登録されている自端末に対するアドレスを示す一意の番号１０３を通信相手に電話回線などを介して通知する。
【００８４】
これにより、１０２に示すＳＩＰサーバ又はゲートキーパーに登録されている自端末に対するアドレスを示す一意の番号１０１、１０３を通信を行う相手端末の属するネットワークに応じて選択して通信相手に通知することにより、相手端末の１０２に示すＳＩＰサーバ又はゲートキーパーに登録されている自端末に対するアドレスを示す一意の番号１０１、１０３を互いに知ることができるので、自端末に対するアドレスを示す一意の番号１０１、１０３をダイヤルして互いに通信を行なうことができる。
【００８５】
また、Ｔ１２時点で示すように、同じプライベートネットワーク７８内で相手端末と通信する場合には、他方のプライベートネットワーク７８上のテレビ電話端末装置７７上のアドレス表示部８３に表示されている自端末のＩＰアドレス７９を通信相手に電話回線などを介して通知する。また、他方のプライベートネットワーク７８上に設けられているテレビ電話端末装置９２のアドレス表示部８３に表示されている自端末のＩＰアドレス９３を通信相手に電話回線などを介して通知する。
【００８６】
これにより、他方のプライベートネットワーク７８への接続毎に変化して割り振られる自端末のＩＰアドレス７９、９３を通信を行う相手端末の属するネットワークに応じて選択して通信相手に通知することにより、相手端末の自端末のＩＰアドレス７９、９３を互いに知ることができるので、相手端末のＩＰアドレス７９、９３をダイヤルして互いに通信を行なうことができる。
【００８７】
このようにＴ１１時点とその後のＴ１２時点で異なるネットワークに属する端末に対して相手端末の属するネットワークに応じて表示されるアドレスを選択して通信相手に通知することにより良好に通信を行なうことができる。
【００８８】
図１１は、他のテレビ電話システムの使用状態を示す図である。図１１は、図１０に示すサーバ利用の場合であって、さらにＩＳＤＮ利用の場合の例を示すものである。
図１１において、Ｔ２１時点で示すように、グローバルネットワークであるパブリックインターネット７６を介して相手端末と通信する場合には、一方のプライベートネットワーク７２上のテレビ電話端末装置７１上のアドレス表示部８３に表示されているグローバルネットワークであるパブリックインターネット７６上に設けられている１０２に示すＳＩＰサーバ又はゲートキーパーに登録された自端末に対するアドレスを示す一意の番号１０１を通信相手に電話回線などを介して通知する。
【００８９】
また、他方のプライベートネットワーク７８上のテレビ電話端末装置７７上のアドレス表示部８３に表示されているはグローバルネットワークであるパブリックインターネット７６上に設けられている１０２に示すＳＩＰサーバ又はゲートキーパーに登録された自端末に対するアドレスを示す一意の番号１０３を通信相手に電話回線などを介して通知する。
【００９０】
これにより、１０２に示すＳＩＰサーバ又はゲートキーパーに登録された自端末に対するアドレスを示す一意の番号１０１、１０３を通信を行う相手端末の属するネットワークに応じて選択して通信相手に通知することにより、相手端末の１０２に示すＳＩＰサーバ又はゲートキーパーの自端末に対するアドレスを示す一意の番号１０１、１０３を互いに知ることができるので、相手端末の１０２に示すＳＩＰサーバ又はゲートキーパーに登録された端末に対するアドレスを示す一意の番号１０１、１０３をダイヤルして互いに通信を行なうことができる。
【００９１】
また、Ｔ２２時点で示すように、同じプライベートネットワーク７８内で相手端末と通信する場合には、他方のプライベートネットワーク７８上のテレビ電話端末装置７７上のアドレス表示部８３に表示されている自端末のＩＰアドレス７９を通信相手に電話回線などを介して通知する。また、他方のプライベートネットワーク７８上に設けられているテレビ電話端末装置９２のアドレス表示部８３に表示されている自端末のＩＰアドレス９３を通信相手に電話回線などを介して通知する。
【００９２】
これにより、他方のプライベートネットワーク７８への接続毎に変化して割り振られる自端末のＩＰアドレス７９、９３を通信を行う相手端末の属するネットワークに応じて選択して通信相手に通知することにより、相手端末の自端末のＩＰアドレス７９、９３を互いに知ることができるので、相手端末のＩＰアドレス７９、９３をダイヤルして互いに通信を行なうことができる。
【００９３】
さらに、Ｔ２３時点で示すように、ＩＳＤＮ１１３を利用する場合には、他方のプライベートネットワーク７８上のテレビ電話端末装置９２上のアドレス表示部８３に表示されている自端末のＩＳＤＮ番号１１２を通信相手に他の電話回線などを介して通知する。また、ＩＳＤＮ１１３の回線上に設けられているテレビ電話端末装置１１５のアドレス表示部８３に表示されている自端末のＩＳＤＮ番号１１６を通信相手に他の電話回線などを介して通知する。
【００９４】
これにより、ＩＳＤＮ１１３の回線敷設の際に設定された自端末のＩＳＤＮ番号１１２，１１６を通信を行う相手端末の属するネットワークに応じて選択して通信相手に通知することにより、相手端末の自端末のＩＳＤＮ番号１１２，１１６を互いに知ることができるので、相手端末のＩＳＤＮ番号１１２，１１６をダイヤルして互いに通信を行なうことができる。
【００９５】
このとき、相手端末のＩＳＤＮ番号１１２，１１６は互いにＩＳＤＮ変換ボックス１１１，１１４によりディジタルデータに変換されてＩＳＤＮ１１３により通信が行われる。
このようにＴ２１時点とその後のＴ２２時点、さらにその後のＴ２３時点で異なるネットワークに属する端末に対して相手端末の属するネットワークに応じて表示されるアドレスを選択して通信相手に通知することにより良好に通信を行なうことができる。
【００９６】
上述した本実施の形態に限らず、本発明の要旨を逸脱しない限り、適宜、他の構成をとりうることは言うまでもない。例えば、上述した実施の形態では、テレビ電話端末装置の例を示したが、画像及び音声の通信が可能な携帯電話端末にも適用することができる。
【図面の簡単な説明】
【００９７】
【図１】テレビ電話端末装置の構成を示すブロック図である。
【図２】固有アドレス設定の動作を示すフローチャートである。
【図３】接続時アドレス取得の動作を示すフローチャートである。
【図４】固有アドレス表示の動作を示すフローチャートである。
【図５】接続時アドレス表示の動作を示すフローチャートである。
【図６】起動時のグローバルなルーターＩＰアドレス取得の動作を示すフローチャートである。
【図７】テレビ電話システムの使用状態を示す図である。
【図８】他のテレビ電話システムの使用状態を示す図である。
【図９】他のテレビ電話システムの使用状態を示す図である。
【図１０】他のテレビ電話システムの使用状態を示す図である。
【図１１】他のテレビ電話システムの使用状態を示す図である。
【符号の説明】
【００９８】
１，７１，７７，９２…テレビ電話端末装置、２…接続時アドレス取得部、３…サーバ登録部、４…固有アドレス設定部、５…ＩＰアドレス記憶部、６…ルーターＩＰアドレス記憶部、７…サーバアドレス記憶部、８…ＩＳＤＮ番号記憶部、９…ゲートキーパーアドレス記憶部、１０…表示アドレス選択部、１１…アドレス表示部、７２，７８…プライベートネットワーク、７６…パブリックネットワーク、７３，７９，８４，９３…ＩＰアドレス、７５，８１…グローバルルーターＩＰアドレス、７４，８０…ルーター、８２…表示画面、８３…アドレス表示部、１０１，１０３，１０４…一意の番号、１０２…ＳＩＰサーバ又はゲートキーパー、１１２，１１６…ＩＳＤＮ番号
【図１】
2007282059.tif 000003
【図２】
2007282059.tif 000004
【図３】
2007282059.tif 000005
【図４】
2007282059.tif 000006
【図５】
2007282059.tif 000007
【図６】
2007282059.tif 000008
【図７】
2007282059.tif 000009
【図８】
2007282059.tif 000010
【図９】
2007282059.tif 000011
【図１０】
2007282059.tif 000012
【図１１】
2007282059.tif 000013